(57)【要約】  チャネルごとに単一のコードワードを送信する、複雑さが低い多入力多出力の送信機が、本明細書において開示されている。より高いデータ・レイヤの送信をサポートする送信のためにチャネルごとに複数のコードワードを送る代わりに、送信機は、ある範囲の信号対干渉雑音比にわたってスペクトル効率を改善するために複数のチャネルを介して単一のコードワードを送ることが可能である。たとえば、ユーザ機器（ＵＥ）へのダウンリンク送信が、４つのデータ・レイヤをサポートすることが可能な４というランクを有している場合には、単一のダウンリンク制御チャネルを介して２つ以上のコードワードを送る代わりに、送信機は、複数の制御チャネルをスケジュールすること、およびチャネルごとに単一のコードワードを送信することが可能である。送信機は、マルチコードワードが複数のダウンリンク制御チャネル内に含まれていることをＵＥへのシグナリング内に含めることも可能である。【選択図】図１
2020516153.tif 000002
【特許請求の範囲】
【請求項１】
プロセッサと、
実行可能な命令を格納しているメモリと
を含む送信機デバイスであって、前記命令が、前記プロセッサによって実行されたときに、
制御チャネルを介した受信機デバイスへの第１の送信に関連付けられているランクを決定することと、
前記ランクに基づいて、前記第１の送信に関する制御チャネル情報を送信するために使用されることになる第１の数のコードワードを決定することと、
前記第１の数のコードワードを送信するために第２の数の制御チャネル・グラントをスケジュールすることであって、前記第１の数のコードワードのそれぞれのコードワードが、前記第２の数の制御チャネル・グラントのそれぞれの制御チャネル・グラント上で別々にスケジュールされる、スケジュールすることとを含むオペレーションの実行を容易にする、送信機デバイス。
【請求項２】
前記オペレーションがさらに、
前記受信機デバイスへの第３の数のデータ・トラフィック・チャネルを確立することを含み、前記第３の数のデータ・トラフィック・チャネルのそれぞれのデータ・トラフィック・チャネルが、前記制御チャネルを含むそれぞれの制御チャネルに対応する、請求項１に記載の送信機デバイス。
【請求項３】
前記ランクを前記決定することがさらに、前記受信機デバイスから受信されたチャネル状態情報に基づいて前記ランクを決定することを含む、請求項１に記載の送信機デバイス。
【請求項４】
前記ランクを前記決定することが、前記受信機デバイスへの第２の送信に関して決定される信号対干渉雑音比を決定することに基づく、請求項１に記載の送信機デバイス。
【請求項５】
前記ランクを前記決定することが、前記受信機デバイスへの第２の送信に関して決定されたパス・ロスに基づく、請求項１に記載の送信機デバイス。
【請求項６】
前記ランクが、第１のランクおよび第２のランクよりも高い第３のランク未満であると決定されたことに応答して、コードワードの前記第１の数が１である、請求項１に記載の送信機デバイス。
【請求項７】
前記ランクが第２のランクよりも高いと決定されたことに応答して、コードワードの前記第１の数が少なくとも２であり、前記第２のランクが、第１のランクよりも大きく、第３のランク未満である、請求項１に記載の送信機デバイス。
【請求項８】
前記制御チャネル情報が、アンテナ・ポートに関連付けられている情報を含む、請求項１に記載の送信機デバイス。
【請求項９】
前記制御チャネルが第１の制御チャネルであり、前記制御チャネル情報が、第１のデータ・トラフィック・チャネルに関連付けられている情報を含む、請求項８に記載の送信機デバイス。
【請求項１０】
受信機デバイスへの多入力多出力プロトコルに従って生成される送信のための第１の数のデータ・レイヤを、プロセッサを含む送信機デバイスによって決定することと、
前記第１の数のデータ・レイヤに基づいて前記受信機デバイスへ制御チャネル情報を送信するために使用されることになる第２の数のコードワードを前記送信機デバイスによって決定することと、
前記第２の数のコードワードを送信する際に経由する第３の数の制御チャネルを前記送信機デバイスによって確立することであって、前記第２の数のコードワードのそれぞれのコードワードが、前記受信機デバイスへのそれぞれの制御チャネル上で別々にスケジュールされる、確立することと
を含む方法。
【請求項１１】
前記第１の数のデータ・レイヤを前記決定することが、前記受信機デバイスから受信されたチャネル状態情報に基づいて決定された前記送信のランクに基づく、請求項１０に記載の方法。
【請求項１２】
前記第１の数のデータ・レイヤを前記決定することが、前記受信機デバイスへの前記送信に関して決定された信号対干渉雑音比に基づく、請求項１０に記載の方法。
【請求項１３】
前記第１の数のデータ・レイヤを前記決定することが、前記送信に適用可能であると決定された前記受信機デバイスへのパス・ロスに基づく、請求項１０に記載の方法。
【請求項１４】
前記受信機デバイスへの第４の数のデータ・トラフィック・チャネルを前記送信機デバイスによって確立することをさらに含み、前記第４の数のデータ・トラフィック・チャネルのそれぞれのデータ・トラフィック・チャネルが、前記受信機デバイスへのそれぞれの制御チャネルに対応する、
請求項１０に記載の方法。
【請求項１５】
データ・レイヤの前記第１の数が１または２であると決定されたことに応答して、コードワードの前記第２の数が１である、請求項１０に記載の方法。
【請求項１６】
データ・レイヤの前記第１の数が２よりも大きいと決定されたことに応答して、コードワードの前記第２の数が少なくとも２である、請求項１０に記載の方法。
【請求項１７】
前記制御チャネル情報が、データ・トラフィック・チャネルのためのアンテナ・ポートに関連付けられている情報を含む、請求項１０に記載の方法。
【請求項１８】
実行可能な命令を含むマシン可読ストレージ・メディアであって、前記命令が、デバイスのプロセッサによって実行されたときに、
受信機デバイスへの制御チャネル送信に関連付けられているランクを、前記受信機デバイスから受信されたチャネル状態情報に基づいて決定することと、
前記ランクに基づいて、前記制御チャネル送信に関する制御チャネル情報を送信するために使用されることになる第１の数のコードワードを決定することと、
前記第１の数のコードワードを送信するために第２の数の制御チャネルを確立することであって、前記第１の数のコードワードのそれぞれのコードワードが、それぞれの制御チャネル上で別々にスケジュールされる、確立することとを含むオペレーションの実行を容易にする、マシン可読ストレージ・メディア。
【請求項１９】
前記オペレーションがさらに、
前記受信機デバイスへの第３の数のデータ・トラフィック・チャネルを確立することを含み、前記第３の数のデータ・トラフィック・チャネルのそれぞれのデータ・トラフィック・チャネルが、それぞれの制御チャネルに対応する、請求項１８に記載のマシン可読ストレージ・メディア。
【請求項２０】
前記オペレーションがさらに、
前記第３の数のデータ・トラフィック・チャネルのためのアンテナ・ポートに関連付けられている情報を前記受信機デバイスへシグナリングすることを含む、請求項１９に記載のマシン可読ストレージ・メディア。
【発明の詳細な説明】
【技術分野】
【０００１】
関連出願への相互参照
本願は、２０１７年３月２４日に出願された「Ａ  ＬＯＷ  ＣＯＭＰＬＥＸＩＴＹ  ＨＩＧＨ  ＰＥＲＦＯＲＭＡＮＣＥ  ＳＩＮＧＬＥ  ＣＯＤＥＷＯＲＤ  ＭＩＭＯ  ＦＯＲ  ５Ｇ  ＷＩＲＥＬＥＳＳ  ＣＯＭＭＵＮＩＣＡＴＩＯＮ  ＳＹＳＴＥＭＳ」と題されている米国特許本出願第１５／４６９，２００号に対する優先権を主張するものであり、その本出願は、その全体が参照によって本明細書に組み込まれている。
【０００２】
本願は、一般にモバイル通信の分野に関連しており、より詳細には、次世代ワイヤレス通信ネットワークにおける、複雑さが低くパフォーマンスが高い単一のコードワードのＭＩＭＯの送信機に関連している。
【背景技術】
【０００３】
データ処理を中心とするアプリケーションに対する巨大な需要を満たすために、第３世代パートナーシップ・プロジェクト（３ＧＰＰ）システム、およびワイヤレス通信のための第４世代（４Ｇ）標準の仕様のうちの１つまたは複数の側面を採用するシステムは、ワイヤレス通信のための第５世代（５Ｇ）標準へ拡張されるであろう。来たる５Ｇおよびその他の次世代ネットワーク標準に関連付けられているサービスのレベルを提供するためには、独特の難題が存在している。
【０００４】
本開示の非限定的で非網羅的な実施形態が、下記の図を参照しながら記述されており、同様の参照番号は、別段の指定がない限り、さまざまな図の全体を通して同様の部分を指している。
【図面の簡単な説明】
【０００５】
【図１】本開示のさまざまな態様および実施形態による例示的なワイヤレス通信システムを示す図である。
【図２】本開示のさまざまな態様および実施形態によるメッセージ・シーケンス・チャートの例示的なブロック図である。
【図３】本開示のさまざまな態様および実施形態による別のメッセージ・シーケンス・チャートの例示的なブロック図である。
【図４】本開示のさまざまな態様および実施形態によるＭＩＭＯシステムの例示的なブロック図である。
【図５】本開示のさまざまな態様および実施形態による別のＭＩＭＯシステムの例示的なブロック図である。
【図６】本開示のさまざまな態様および実施形態による送信機システムの例示的なブロック図である。
【図７】本開示のさまざまな態様および実施形態による単一のコードワードおよび複数のコードワードに関するスペクトル効率を示す例示的なグラフである。
【図８】本開示のさまざまな態様および実施形態によるチャネルごとに単一のコードワードのＭＩＭＯの送信機を使用するための例示的な方法を示す図である。
【図９】本開示のさまざまな態様および実施形態によるフォーマット・インジケータを提供するように動作できるモバイル・ハンドセットであることが可能である例示的なユーザ機器の例示的なブロック図である。
【図１０】本開示のさまざまな態様および実施形態によるプロセスおよび方法を実行するように動作できることが可能であるコンピュータの例示的なブロック図である。
【発明を実施するための形態】
【０００６】
次いで１つまたは複数の実施形態が、図面を参照しながら記述されており、同様の参照番号は、全体を通して同様の要素を指すために使用されている。以降の記述においては、説明の目的で、さまざまな実施形態の徹底的な理解を提供するために、多くの具体的な詳細が示されている。しかしながら、さまざまな実施形態は、これらの具体的な詳細を伴わずに（および特定のネットワーク化された環境または標準に適用することなく）実施されることが可能であることは明らかである。
【０００７】
さまざまな実施形態においては、送信機デバイスが、プロセッサと、実行可能な命令を格納しているメモリとを含むことが可能であり、それらの命令は、プロセッサによって実行されたときに、オペレーションの実行を容易にする。オペレーションは、制御チャネルを介した受信機デバイスへの第１の送信に関連付けられているランクを決定することを含むことが可能である。オペレーションは、ランクに基づいて、第１の送信に関する制御チャネル情報を送信するために使用されることになる第１の数のコードワードを決定することを含むことも可能である。オペレーションは、第１の数のコードワードを送信するために第２の数の制御チャネル・グラントをスケジュールすることであって、第１の数のコードワードのそれぞれのコードワードが、第２の数の制御チャネル・グラントのそれぞれの制御チャネル・グラント上で別々にスケジュールされる、スケジュールすることを含むことも可能である。
【０００８】
別の実施形態においては、方法が、受信機デバイスへの多入力多出力プロトコルに従って生成される送信のための第１の数のデータ・レイヤを、プロセッサを含む送信機デバイスによって決定することを含む。この方法は、第１の数のデータ・レイヤに基づいて受信機デバイスへ制御チャネル情報を送信するために使用されることになる第２の数のコードワードを送信機デバイスによって決定することを含むことも可能である。この方法は、第２の数のコードワードを送信する際に経由する第３の数の制御チャネルを送信機デバイスによって確立することであって、第２の数のコードワードのそれぞれのコードワードが、受信機デバイスへのそれぞれの制御チャネル上で別々にスケジュールされる、確立することを含むことも可能である。
【０００９】
別の実施形態においては、マシン可読ストレージ・メディアが、実行可能な命令を含み、それらの命令は、デバイスのプロセッサによって実行されたときに、オペレーションの実行を容易にする。オペレーションは、受信機デバイスへの制御チャネル送信に関連付けられているランクを、受信機デバイスから受信されたチャネル状態情報に基づいて決定することを含むことが可能である。オペレーションは、ランクに基づいて、制御チャネル送信に関する制御チャネル情報を送信するために使用されることになる第１の数のコードワードを決定することを含むことも可能である。オペレーションは、第１の数のコードワードを送信するために第２の数の制御チャネルを確立することであって、第１の数のコードワードのそれぞれのコードワードが、それぞれの制御チャネル上で別々にスケジュールされる、確立することを含むことも可能である。
【００１０】
本開示において使用される際には、いくつかの実施形態においては、「コンポーネント」、「システム」などの用語は、コンピュータ関連のエンティティ、または１つもしくは複数の特定の機能性を有する動作可能な装置に関連したエンティティを指すこと、または含むことを意図されており、エンティティは、ハードウェア、ハードウェアとソフトウェアとの組合せ、ソフトウェア、または実行中のソフトウェアのいずれかであることが可能である。例として、コンポーネントは、プロセッサ上で稼働しているプロセス、プロセッサ、オブジェクト、実行可能ファイル、実行のスレッド、コンピュータ実行可能命令、プログラム、および／またはコンピュータであることが可能であるが、それらであることに限定されない。限定ではなく、例として、サーバ上で稼働するアプリケーション、およびそのサーバの両方がコンポーネントであることが可能である。
【００１１】
１つまたは複数のコンポーネントが、１つのプロセスおよび／または実行のスレッド内に存在することが可能であり、１つのコンポーネントが、１つのコンピュータ上に局在されること、および／または２つ以上のコンピュータの間に分散されることが可能である。加えて、これらのコンポーネントは、さまざまなデータ構造をその上に格納されているさまざまなコンピュータ可読メディアから実行することが可能である。これらのコンポーネントは、１つまたは複数のデータ・パケット（たとえば、ローカル・システムや分散システム内の別のコンポーネントと対話する、および／または信号を介してインターネットなどのネットワークを経由してその他のシステムと対話する１つのコンポーネントからのデータ）を有する信号に従ってなど、ローカル・プロセスおよび／またはリモート・プロセスを介して通信することが可能である。別の例として、コンポーネントは、電気回路または電子回路によって操作される機械的な部分によって提供される特定の機能性を有する装置であることが可能であり、その電気回路または電子回路は、プロセッサによって実行されるソフトウェア・アプリケーションまたはファームウェア・アプリケーションによって操作され、プロセッサは、その装置にとって内部または外部にあることが可能であり、ソフトウェア・アプリケーションまたはファームウェア・アプリケーションの少なくとも一部を実行する。さらに別の例として、コンポーネントは、機械的な部分を有していない電子コンポーネントを通じて特定の機能性を提供する装置であることが可能であり、それらの電子コンポーネントは、それらの電子コンポーネントの機能性を少なくとも部分的にもたらすソフトウェアまたはファームウェアを実行するためのプロセッサを内部に含むことが可能である。さまざまなコンポーネントが別々のコンポーネントとして示されているが、例示的な実施形態から逸脱することなく、複数のコンポーネントが単一のコンポーネントとして実装されることが可能であり、または単一のコンポーネントが複数のコンポーネントとして実装されることが可能であることが理解されるであろう。
【００１２】
さらに、さまざまな実施形態は、開示されている主題を実施するようにコンピュータを制御するためのソフトウェア、ファームウェア、ハードウェア、またはそれらの任意の組合せを作成するために標準的なプログラミングおよび／またはエンジニアリング技術を使用して、方法、装置、または製品として実施されることが可能である。本明細書において使用されている「製品」という用語は、任意のコンピュータ可読（もしくはマシン可読）デバイスまたはコンピュータ可読（もしくはマシン可読）ストレージ／通信メディアからアクセス可能なコンピュータ・プログラムを包含することを意図されている。たとえば、コンピュータ可読ストレージ・メディアは、磁気ストレージ・デバイス（たとえば、ハード・ディスク、フロッピー・ディスク、磁気ストリップ）、光ディスク（たとえば、コンパクト・ディスク（ＣＤ）、デジタル多用途ディスク（ＤＶＤ））、スマート・カード、およびフラッシュ・メモリ・デバイス（たとえば、カード、スティック、キー・ドライブ）を含むことが可能であるが、それらには限定されない。もちろん、さまざまな実施形態の範囲または趣旨から逸脱することなく、この構成に対して多くの修正が行われることが可能であることを当業者なら認識するであろう。
【００１３】
加えて、「例」および「例示的な」という言葉は、本明細書においては、事例または例示としての役割を果たすことを意味するために使用されている。本明細書において「例」または「例示的な」と記述されている実施形態または設計は、必ずしもその他の実施形態または設計よりも好ましいまたは有利であると解釈されるべきではない。むしろ、「例」または「例示的な」という言葉の使用は、具体的な様式でコンセプトを提示することを意図されている。本願において使用される際には、「または（もしくは）」という用語は、排他的な「または（もしくは）」よりもむしろ包括的な「または（もしくは）」を意味することを意図されている。すなわち、別段の指定がない限り、または文脈から明らかでない限り、「Ｘが、Ａまたは（もしくは）Ｂを採用する」は、自然な包括的な順列のうちのいずれをも意味することを意図されている。すなわち、ＸがＡを採用する、ＸがＢを採用する、またはＸがＡおよびＢの両方を採用する場合には、「Ｘが、Ａまたは（もしくは）Ｂを採用する」は、上述の例のうちのいずれのもとでも満たされる。加えて、本願および添付の特許請求の範囲において使用されている「ａ」および「ａｎ」という冠詞は一般に、別段の指定ない限り、または単数形へ導かれることが文脈から明らかでない限り、「１つまたは複数の」を意味すると解釈されるべきである。
【００１４】
その上、「モバイル・デバイス機器」、「移動局」、「モバイル」、サブスクライバ・ステーション」、「アクセス端末」、「端末」、「ハンドセット」、「通信デバイス」、「モバイル・デバイス」などの用語（および／または類似の専門用語を表す用語）は、データ、制御、音声、ビデオ、サウンド、ゲーミング、または実質的に任意のデータストリームまたはシグナリングストリームを受信または伝達するためにワイヤレス通信サービスのサブスクライバまたはモバイル・デバイスによって利用されるワイヤレス・デバイスを指すことが可能である。上述の用語は、本明細書において、および関連した図面を参照しながら、言い換え可能に利用される。同様に、「アクセス・ポイント（ＡＰ）」、「基地局（ＢＳ）」、ＢＳトランシーバ、ＢＳデバイス、セル・サイト、セル・サイト・デバイス、「Ｎｏｄｅ  Ｂ（ＮＢ）」、「エボルブドＮｏｄｅ  Ｂ（ｅＮｏｄｅ  Ｂ）」、「ホームＮｏｄｅ  Ｂ（ＨＮＢ）」などの用語は、本願においては言い換え可能に利用され、１つまたは複数のサブスクライバ・ステーションからのデータ、制御、音声、ビデオ、サウンド、ゲーミング、または実質的に任意のデータ・ストリームまたはシグナリング・ストリームを送信および／または受信するワイヤレス・ネットワーク・コンポーネントまたはアプライアンスを指す。データ・ストリームおよびシグナリング・ストリームは、パケット化されたまたはフレームベースのフローであることが可能である。
【００１５】
さらに、「デバイス」、「通信デバイス」、「モバイル・デバイス」、「サブスクライバ」、「顧客エンティティ」、「消費者」、「顧客エンティティ」、「エンティティ」などの用語は、文脈がこれらの用語の間における特定の区別を当然としない限り、全体を通して言い換え可能に採用される。そのような用語は、人間エンティティ、または、シミュレートされた視覚、サウンド認識などを提供することが可能である、人工知能（たとえば、複雑な数学的形式に基づいて推論を行う能力）を通じてサポートされる自動化されたコンポーネントを指すことが可能であることを理解されたい。
【００１６】
本明細書において記述されている実施形態は、ワイヤレス・フィディリティ（Ｗｉ−Ｆｉ）、グローバル・システム・フォー・モバイル・コミュニケーションズ（ＧＳＭ）、ユニバーサル・モバイル・テレコミュニケーションズ・システム（ＵＭＴＳ）、ワールドワイド・インターオペラビリティ・フォー・マイクロウェーブ・アクセス（ＷｉＭＡＸ）、エンハンスト・ジェネラル・パケット・ラジオ・サービス（ｅｎｈａｎｃｅｄ  ＧＰＲＳ）、第３世代パートナーシップ・プロジェクト（３ＧＰＰ）ロング・ターム・エボリューション（ＬＴＥ）、第３世代パートナーシップ・プロジェクト２（３ＧＰＰ２）ウルトラ・モバイル・ブロードバンド（ＵＭＢ）、高速パケット・アクセス（ＨＳＰＡ）、Ｚ−Ｗａｖｅ、Ｚｉｇｂｅｅおよびその他の８０２．ＸＸワイヤレス技術、ならびに／またはレガシー・テレコミュニケーション技術を含むがそれらには限定されない実質的に任意のワイヤレス通信技術において活用されることが可能である。
【００１７】
本明細書において開示されているさまざまな実施形態は、チャネルごとに単一のコードワードを送信する、複雑さが低い多入力多出力の送信機を提供する。より高いデータ・レイヤの送信をサポートする送信のためにチャネルごとに複数のコードワードを送る代わりに、送信機は、ある範囲の信号対干渉雑音比にわたってスペクトル効率を改善するために複数のチャネルを介して単一のコードワードを送ることが可能である。たとえば、ユーザ機器（ＵＥ）へのダウンリンク送信が、４つのデータ・レイヤをサポートすることが可能な４というランクを有している場合には、単一のダウンリンク制御チャネルを介して２つ以上のコードワードを送る代わりに、送信機は、複数の制御チャネルをスケジュールすること、およびチャネルごとに単一のコードワードを送信することが可能である。送信機は、マルチコードワードが複数のダウンリンク制御チャネル内に含まれていることをＵＥへのシグナリング内に含めることも可能である。
【００１８】
図１は、本開示のさまざまな態様および実施形態による例示的なワイヤレス通信システム１００を示している。１つまたは複数の実施形態においては、システム１００は、１つまたは複数のユーザ機器ＵＥ１０４および１０２を含むことが可能であり、ＵＥ１０４および１０２は、垂直および水平の要素を有する１つまたは複数のアンテナ・パネルを有することが可能である。ＵＥ１０２は、モバイル・デバイス、たとえば、セルラー電話、スマートフォン、タブレット・コンピュータ、ウェアラブル・デバイス、仮想現実（ＶＲ）デバイス、ヘッドアップ・ディスプレイ（ＨＵＤ）デバイス、スマート・カー、マシンタイプ通信（ＭＴＣ）デバイスなどであることが可能である。ユーザ機器ＵＥ１０２は、ワイヤレスに通信するＩＯＴデバイスを含むことも可能である。さまざまな実施形態においては、システム１００は、１つまたは複数のワイヤレス通信ネットワーク・プロバイダによってサービス提供されるワイヤレス通信ネットワークであるか、またはそのワイヤレス通信ネットワークを含む。例示的な実施形態においては、ＵＥ１０２は、ネットワーク・ノード１０６を介してワイヤレス通信ネットワークに通信可能に結合されることが可能である。
【００１９】
ネットワーク・ノード（または無線ネットワーク・ノード）という非限定的な用語は、本明細書においては、ＵＥ１０２およびＵＥ１０４にサービス提供する、ならびに／または、ＵＥ１０２もしくは１０４が無線信号を受信できる元であるその他のネットワーク・ノード、ネットワーク要素、もしくは別のネットワーク・ノードに接続されている任意のタイプのネットワーク・ノードを指すために使用されている。ネットワーク・ノードは、さまざまな送信オペレーション（たとえば、ＭＩＭＯオペレーション）を実行するために複数のアンテナを有することも可能である。ネットワーク・ノードは、キャビネットおよびその他の保護されている筐体、アンテナ・マスト、ならびに実際のアンテナを有することが可能である。ネットワーク・ノードは、アンテナの構成およびタイプに応じて、セクタとも呼ばれるいくつかのセルにサービス提供することが可能である。ネットワーク・ノードの例（たとえば、ネットワーク・ノード１０６）は、ＮｏｄｅＢデバイス、基地局（ＢＳ）デバイス、アクセス・ポイント（ＡＰ）デバイス、および無線アクセス・ネットワーク（ＲＡＮ）デバイスを含むことが可能であるが、それらには限定されない。ネットワーク・ノード１０６は、ＭＳＲ  ＢＳ、ｅＮｏｄｅ  Ｂ、ネットワーク・コントローラ、無線ネットワーク・コントローラ（ＲＮＣ）、基地局コントローラ（ＢＳＣ）、リレー、リレーを制御するドナー・ノード、ベース・トランシーバ・ステーション（ＢＴＳ）、送信ポイント、送信ノード、ＲＲＵ、ＲＲＨ、分散アンテナ・システム（ＤＡＳ）におけるノードなどを含むがそれには限定されないマルチスタンダード無線（ＭＳＲ）無線ノード・デバイスを含むことも可能である。５Ｇ用語においては、ノード１０６は、ｇＮｏｄｅＢデバイスと呼ばれることが可能である。
【００２０】
ワイヤレス通信システム１００は、デバイス同士の（たとえば、ＵＥ１０２および１０４とネットワーク・ノード１０６との）間におけるワイヤレス無線通信を容易にするためにさまざまなセルラー技術および変調スキームを採用することが可能である。たとえば、システム１００は、ＵＭＴＳ、ロング・ターム・エボリューション（ＬＴＥ）、高速パケット・アクセス（ＨＳＰＡ）、符号分割多元接続（ＣＤＭＡ）、時分割多元接続（ＴＤＭＡ）、周波数分割多元接続（ＦＤＭＡ）、マルチキャリア符号分割多元接続（ＭＣ−ＣＤＭＡ）、シングルキャリア符号分割多元接続（ＳＣ−ＣＤＭＡ）、シングルキャリアＦＤＭＡ（ＳＣ−ＦＤＭＡ）、ＯＦＤＭ、（ＤＦＴ）−ｓｐｒｅａｄ  ＯＦＤＭまたはＳＣ−ＦＤＭＡ））、ＦＢＭＣ、ＺＴ  ＤＦＴ−ｓ−ＯＦＤＭ、ＧＦＤＭ、ＵＦＭＣ、ＵＷ  ＤＦＴ−Ｓｐｒｅａｄ−ＯＦＤＭ、ＵＷ−ＯＦＤＭ、ＣＰ−ＯＦＤＭ、リソースブロックフィルタードＯＦＤＭ、およびＵＦＭＣに従って動作することが可能である。しかしながら、システム１００のさまざまな特徴および機能性が特に記述されており、システム１００のデバイス（たとえば、ＵＥ１０２および１０４ならびにネットワーク・デバイス１０６）は、１つまたは複数のマルチ・キャリア変調スキームを使用してワイヤレス信号を通信するように構成されており、データ・シンボル同士が、複数の周波数サブキャリア（たとえば、ＯＦＤＭ、ＣＰ−ＯＦＤＭ、ＤＦＴ−ｓｐｒｅａｄ  ＯＦＭＤ、ＵＦＭＣ、ＦＭＢＣなど）を介して同時に送信されることが可能である。
【００２１】
さまざまな実施形態においては、システム１００は、５Ｇワイヤレス・ネットワーキングの特徴および機能性を提供および採用するように構成されることが可能である。５Ｇワイヤレス通信ネットワークは、指数関数的に増大するデータ・トラフィックの需要を満たすこと、ならびに人々およびマシンが実質的にゼロの待ち時間でギガビット・データ・レートを享受するのを可能にすることを期待されている。４Ｇに比較して、５Ｇは、より多様なトラフィック・シナリオをサポートする。たとえば、４Ｇネットワークによってサポートされている従来のＵＥ（たとえば、電話、スマートフォン、タブレット、ＰＣ、テレビジョン、インターネット対応テレビジョンなど）間におけるさまざまなタイプのデータ通信に加えて、５Ｇネットワークは、無人車両環境に関連したスマート・カー間におけるデータ通信、ならびにマシン・タイプ通信（ＭＴＣ）をサポートするために採用されることが可能である。これらの異なるトラフィック・シナリオの劇的な異なる通信ニーズを考慮すると、マルチ・キャリア変調スキーム（たとえば、ＯＦＤＭおよび関連したスキーム）の利点を保持しながらトラフィック・シナリオに基づいて波形パラメータを動的に構成する能力は、５Ｇネットワークの高い速度／キャパシティおよび低い待ち時間に対する需要に著しい寄与を提供することが可能である。帯域幅をいくつかのサブ帯域へと分割する波形を用いて、別々のタイプのサービスが、最も適切な波形およびニューメロロジーを伴う別々のサブ帯域において対応されることが可能であり、５Ｇネットワークのための改善されたスペクトル利用につながる。
【００２２】
次いで図２を参照すると、示されているのは、本開示のさまざまな態様および実施形態によるメッセージ・シーケンス・チャート２００の例示的なブロック図である。
【００２３】
メッセージ・シーケンス・チャート２００は、ｇＮｏｄｅＢ２０２と、ｇＮｏｄｅＢ２０２のセル内のＵＥ２０４との間におけるものであることが可能である。ｇＮｏｄｅＢ２０２は、基準信号２０６（ＣＳＩ−ＲＳ）をＵＥ２０４へ送ることが可能である。基準信号２０６は、パイロット信号であることが可能であり、このパイロット信号は、セルラー固有またはＵＥ固有であり、チャネル状態情報（ＣＳＩ）およびビーム固有の情報（ビームＲＳＲＰ）を取得するためにＵＥ２０４によって使用される。５Ｇワイヤレス・ネットワークにおいては、ＣＳＩ−ＲＳはＵＥ固有であり、したがってそれは、著しく低い時間／周波数密度を有することが可能である。基準信号２０６は、データ・チャネルに関するチャネル推定のために端末によって使用されることを意図されている復調基準信号を含むことも可能である。「ＵＥ固有」というラベルは、それぞれの復調基準信号が単一の端末によるチャネル推定用として意図されているという事実に関連している。その固有の基準信号は次いで、その端末へのデータ・トラフィック・チャネル送信に割り振られているリソース・ブロック内で送信されるのみである。
【００２４】
ＵＥ２０４は、基準信号２０６から決定されたチャネル状態情報を含むフィードバック信号２０８を返信することが可能である。チャネル状態情報は、チャネル品質インジケータ、プリコーディング・マトリックス、ランク情報、およびリソース・インジケータ（ビーム・インジケータ）を含むことが可能である。ランク・インジケータは、ｇＮｏｄｅＢ２０２とＵＥ２０４との間における送信においてサポート可能であるレイヤの数を示す。たとえば、低いパワー、デバイス間における大きな距離、パス・ロス、および／またはその他の干渉の関数に起因してＳＩＮＲが低い場合には、ランク・インジケータは１であることが可能であり、１つのレイヤのみがサポートされることが可能であることを示す。その他の実施形態においては、ＳＩＮＲが高い場合には、ランクは、２または４またはそれ以上であることが可能であり、複数のデータ・レイヤがサポートされることが可能であって、ｇＮｏｄｅＢ２０２とＵＥ２０４との間におけるＭＩＭＯ通信を可能にすることを示す。
【００２５】
一実施形態においては、ダウンリンク制御チャネル２１０（Ｐｈｙｓｉｃａｌ  Ｄｏｗｎｌｉｎｋ  Ｃｏｎｔｒｏｌ  Ｃｈａｎｎｅｌ−「ＰＤＣＣＨ」）は、スケジューリング・グラントに関する情報を含み、この情報は、スケジュールされているＭＩＭＯレイヤの数、トランスポート・ブロック・サイズ、それぞれのコードワードに関する変調、ＨＡＲＱに関連したパラメータ、サブ帯域ロケーション、そしてまたそのサブ帯域に対応するＰＭＩを含む。すべてのダウンリンク制御情報（ＤＣＩ）フォーマットが、上で示されているすべての情報を使用することが可能であるとは限らないことに留意されたい。一般には、ＰＤＣＣＨのコンテンツは、送信モードおよびＤＣＩフォーマットに依存する。
【００２６】
従来のマルチコードワードＭＩＭＯ通信に関しては、フィードバック・チャネルの（ダウンリンクおよびアップリンクの両方の）オーバーヘッドは、送信ランクに比例している。たとえば、ＵＥによって報告されたランクが４に等しい場合には、受信機は、４つのチャネル品質インジケータを報告し、同様に送信機は、４つのトランスポート・ブロック・サイズ、変調フォーマット、ＨＡＲＱプロセス番号、冗長性バージョンなどに関連している情報を送信することを必要とする。したがってフィードバック・チャネルのオーバーヘッドは、送信ランクに比例している。オーバーヘッドを低減する目的で、コードワード・ディメンショニング原理が、レイヤをバンドルするためにＬＴＥにおいて提案されており、コードワードごとに最大で２つのレイヤをサポートする。この場合、コードワードは、ＣＲＣを添付された情報ブロックとして定義される。それぞれのコードワードは、ターボ・コーディングを使用して別々にコーディングされ、それぞれのコードワードからのコーディングされたビットは、別々にスクランブルされる。送信されることになるコードワードのうちのそれぞれに関する複素数値変調シンボルが、１つまたは複数のレイヤ上にマップされる。コード・ワードｑに関する複素数値変調シンボルｄ（ｑ）（０），．．．，ｄ（ｑ）（Ｍ（ｑ）ｓｙｍｂ−１）が、レイヤｘ（ｉ）＝［ｘ（０）（ｉ）．．．ｘ（ｖ−１）（ｉ）］Ｔ，ｉ＝０，１，．．．Ｍｌａｙｅｒｓｙｍｂ−１上にマップされ、ｖはレイヤの数であり、Ｍｌａｙｅｒｓｙｍｂは、レイヤごとの変調シンボルの数である。ＬＴＥにおいては、送信ランクが２を超える場合は常に、トランスポート・ブロック・サイズは、より高い数のビットに対応するように増大される。
【００２７】
ＭＩＭＯコードワード・ディメンショニングが適用された場合には、ダウンリンクおよびアップリンク・フィードバック・シグナリングに起因するオーバーヘッドは低減される。しかしながら、コードワード・ディメンショニングに伴う欠点は、別々のチャネル品質を伴うＭＩＭＯレイヤ同士が１つのコードワードとして結合されるのでリンク・スループットが影響されることである。この問題を解決するために、本開示は、使用することを開示する。
【００２８】
ランク１の通信に関しては、ｇＮｏｄｅＢ２０２は、１つのレイヤ上でＤＣＩを含む１つのコードワードを送信することが可能である。ランク２の通信に関しては、ｇＮｏｄｅＢ２０２は、２つのレイヤを表す１つのコードワードを送ることが可能であるか、またはそれぞれのダウンリンク制御チャネルがそれぞれ１つのコードワードを含むように２つのコードワードを別々のダウンリンク制御チャネル上で送ることが可能である。同様に、ランク４の条件に関しては、ｇＮｏｄｅＢ２０２は、４つのコードワードを４つの異なるＤＣＩチャネル上で別々に送ることが可能であるか、または２つのダウンリンク制御チャネルをスケジュールするためにコードワード拡張を使用することが可能であり、その場合、それぞれのダウンリンク制御チャネルは、２つのレイヤを表す単一のコードワードを含む。ダウンリンク制御情報は、スケジュールされているＭＩＭＯレイヤの数、トランスポート・ブロック・サイズ、それぞれのコードワードに関する変調、ＨＡＲＱに関連したパラメータ、サブ帯域ロケーション、そしてまたそれらのサブ帯域に対応するＰＭＩを含む、データ・トラフィック・チャネルをスケジュールおよび確立することに関連している情報を含むことが可能である。
【００２９】
次いで図３を参照すると、示されているのは、本開示のさまざまな態様および実施形態による別のメッセージ・シーケンス・チャート３００の例示的なブロック図である。図３においては、ｇＮｏｄｅＢ３０２は、基準信号３０６をＵＥ３０４へ送り、ＵＥ３０４は、ランクが少なくとも２であること、すなわち、２つのレイヤがサポートされることが可能であることを示す情報をフィードバック・チャネル３０８上で返信する。
【００３０】
ｇＮｏｄｅＢ３０２は次いで、少なくとも別々のダウンリンク制御チャネル１（３１０）および２（３１２）上のレイヤに対応するコードワードをエンコードすることが可能であり、それらは、対応するデータ・トラフィック・チャネル１（３１４）および２（３１６）をそれぞれ確立するために使用されるスケジューリング情報およびその他のパラメータを含む。一実施形態においては、ランクが２である場合には、ダウンリンク制御チャネルは、それぞれ１つのレイヤを表すコードワードを含む。ランクが、４など、より高い場合には、ダウンリンク制御チャネル１（３１０）および２（３１２）におけるコードワードは、コードワード拡張を介してそれぞれ２つのレイヤを表すことが可能である。その他の実施形態においては、ｇＮｏｄｅＢ３０２は、単一のコードワードをそれぞれが含む４つ以上のダウンリンク制御チャネルを確立することが可能である。
【００３１】
提案されているシステムの背後にある主な原理は、複数のコードワードのＭＩＭＯをサポートするために単一のスケジューリング・グラント／ダウンリンク制御チャネルを使用することよりもむしろ、ネットワークが、複数のスケジューリング・グラント／ダウンリンク制御チャネルを使用することであり、その場合、それぞれのダウンリンク制御構造は、複数のコードワードのＭＩＭＯに起因する利得を提供することによって、そこでの単一のコードワードのものと同じである。たとえば、図３において示されているように、複数のスケジューリング・グラントを伴う複数のコードワードのＭＩＭＯ（２つのスケジューリング・グラントおよび２つのデータ・トラフィック・チャネルしか示していないが、同じコンセプトは、多数のスケジューリング・グラントおよび多数のデータ・トラフィック・チャネルへ拡張されることが可能である）。
【００３２】
ｇＮｏｄｅＢ３０２は、フィードバック・チャネル３０８においてチャネル状態情報内に含めて受信されたランクに基づいてスケジューリング・グラントの数／データ・トラフィック・チャネルの数を決定することが可能である（ランク１および２に関しては、単一のコードワードを伴う単一の制御チャネルがあることが可能であり、その一方でランク３および４に関しては、ｇＮｏｄｅＢ３０２は、２つのコードワードを伴う２つの制御チャネルを使用することが可能である）。別の実施形態においては、ネットワークは、ＵＥの長期ＳＩＮＲもしくはパス・ロスまたはＵＥのロケーションに基づいて制御チャネルの数を決定することが可能である。たとえば、ＵＥがセル・エッジの近くにあるか、またはより高いパス・ロスを有する場合には、１つの制御チャネルのみが使用されることになり、その一方でＵＥがセルの中央にあるか、または低いパス・ロスを有する場合には、複数の制御チャネルが使用されることが可能である。
【００３３】
ｇＮｏｄｅＢ３０２が複数の制御チャネルの数を決定すると、それぞれの制御チャネルは、チャネルごとに１つのコードワードのみをスケジュールする、すなわち、単一のコードワードのＭＩＭＯの制御チャネルが使用される。たとえば、ネットワークが、４つのコードワードを伴うランク４のＭＩＭＯをスケジュールしたいと望む場合には、ネットワークは、４つのダウンリンク制御チャネルおよび４つのデータ・トラフィック・チャネルを送り、この場合、それぞれのデータ・トラフィック・チャネルは、ランク＝１のものである。同じコンセプトが、コードワード拡張を用いて拡張されることが可能であり、すなわち、ランク４のＭＩＭＯが、２つのダウンリンク制御チャネルおよび２つのデータ・トラフィック・チャネルを用いてスケジュールされることが可能であり、この場合、それぞれのデータ・トラフィック・チャネルは、単一のコードワードを伴うランク２のものである。同じコンセプトが複数の構成に関して拡張されることが可能である。
【００３４】
ｇＮｏｄｅＢ３０２は、どのアンテナ・ポート上にデータ・トラフィック・チャネルがマップされているかをダウンリンク制御チャネル１または２においてＵＥ３０４へシグナリングすることも可能である。制御チャネルにおけるスケジューリング・グラントは次いで、どのアンテナ・ポート上でそれらのスケジューリング・グラントが有効であるかを示すことが可能である。ＵＥ３０４が複数のダウンリンク制御チャネルおよび複数のデータ・トラフィック・チャネルを受信すると、ＵＥ３０４は、マルチ・コードワードＭＩＭＯの全利点を達成するためにデータ・トラフィック・チャネル同士をまとめてデコードする。
【００３５】
次いで図４および図５を参照すると、示されているのは、本開示のさまざまな態様および実施形態によるＭＩＭＯシステムの例示的なブロック図４００および５００であり、ネットワーク・ノードが、４というランクを有する通信を取り扱うためにコードワード拡張をどのようにして実行することが可能であるかを示している。
【００３６】
図４においては、レイヤ１〜４（４０２、４０４、４０６、および４０８）という４つのレイヤがあることが可能である。レイヤ１  ４０２およびレイヤ２  ４０４はそれぞれ、第１のダウンリンク制御チャネル４１４を介して送信される単一のコードワードＡ  ４１０によって表されることが可能である。同様に、レイヤ３および４（４０６および４０８）は、コードワードＢ  ４１２によって表されること、および第２のダウンリンク制御チャネル４１６を介してＵＥへ送信されることが可能である。
【００３７】
対照的に、図４におけるようにコードワード拡張を使用する代わりに、図５においては、レイヤ５０２、５０４、５０６、および５０８のそれぞれは、別々のコードワード５１０、５１２、５１４、および５１６によって表され、それぞれのダウンリンク制御チャネル５１８、５２０、５２２、および５２４を介して送信される。
【００３８】
いくつかの実施形態においては、ネットワーク・ノードは、ＳＩＮＲ、パス・ロス、ＵＥロケーション、もしくはその他のローカル・コンテキストなどのローカル条件に基づいて、またはモバイル・ネットワークによって確立されたさまざまな標準に基づいて、コードワード拡張を使用するか否かを決定することが可能である。
【００３９】
本明細書において記述されている実施形態は、ダウンリンク制御チャネル、すなわち、基地局デバイスからモバイル・デバイスへ、に関連して記述されているが、同じ原理がアップリンクおよびサイド・リンク・システムに適用されることも可能であることも理解されたい。同様に、簡単にするために、ｇＮＢに関して、無線ネットワーク・ノードを使用しており、または単にネットワーク・ノードが使用されていることに留意されたい。それは、ＵＥにサービス提供する、および／または、ＵＥが信号を受信する元であるその他のネットワーク・ノードもしくはネットワーク要素もしくは任意の無線ノードに接続されている任意のタイプのネットワーク・ノードを指す。無線ネットワーク・ノードの例は、Ｎｏｄｅ  Ｂ、基地局（ＢＳ）、ＭＳＲ  ＢＳなどのマルチスタンダード無線（ＭＳＲ）ノード、ｇＮＢ、ｅＮｏｄｅ  Ｂ、ネットワーク・コントローラ、無線ネットワーク・コントローラ（ＲＮＣ）、基地局コントローラ（ＢＳＣ）、リレー、リレーを制御するドナー・ノード、ベース・トランシーバ・ステーション（ＢＴＳ）、アクセス・ポイント（ＡＰ）、送信ポイント、送信ノード、ＲＲＵ、ＲＲＨ、分散アンテナ・システム（ＤＡＳ）におけるノードなどである。
【００４０】
同様に、受信に関して、ユーザ機器（ＵＥ）という用語を使用している。それは、セルラーまたはモバイル通信システムにおける無線ネットワーク・ノードと通信する任意のタイプのワイヤレス・デバイスを指す。ＵＥの例は、ターゲット・デバイス、デバイス・ツー・デバイス（Ｄ２Ｄ）ＵＥ、マシン・タイプＵＥ、またはマシン・ツー・マシン（Ｍ２Ｍ）通信が可能なＵＥ、ＰＤＡ、タブレット、モバイル端末、スマート・フォン、ラップトップ組み込み機器（ＬＥＥ）、ラップトップ搭載機器（ＬＭＥ）、ＵＳＢドングルなどである。要素およびアンテナ・ポートという用語も、本開示においては、言い換え可能に使用されているが、同じ意味を伝えるものであることに留意されたい。
【００４１】
次いで図６を参照すると、示されているのは、本明細書において開示されているさまざまな実施形態による送信機デバイスである。
【００４２】
送信機デバイス６０２は、受信機デバイスへの制御チャネル送信に関連付けられているランクを決定するランク付けコンポーネント６０４を含むことが可能である。ランク付けコンポーネント６０４は、受信機デバイスから受信されたチャネル状態情報に基づいて、または受信機デバイスへの送信に関するそれまでの信号対干渉雑音比に基づいて、または受信機へのパス・ロスもしくは受信機のロケーションに基づいて、ランクを決定することが可能である。このランクは、送信機デバイス６０２によって使用可能であるデータ・レイヤの数を示すことが可能である。
【００４３】
送信機デバイス６０２は、ランクに基づいて、制御チャネル送信に関する制御チャネル情報を送信するために使用されることになる第１の数のコードワードを決定するコードワード・コンポーネント６０６を含むことも可能である。コードワード・コンポーネント６０６は、コードワードの数をレイヤにマッチさせるためにコードワード拡張を使用するか、またはコードワードごとに２つのレイヤを使用するかを決定することが可能である。
【００４４】
送信機デバイスはさらに、第１の数のコードワードを送信するために第２の数の制御チャネル・グラントをスケジュールするスケジューラ・コンポーネント６０８を含むことが可能であり、それぞれのコードワードは、それぞれの制御チャネル・グラント上で別々にスケジュールされる。通知コンポーネント６１０は、データ・トラフィック信号をどこでどのようにして受信するかを受信機デバイスに知らせるために、後続のデータ・トラフィック・チャネルのためのアンテナ・ポートに関連付けられている情報を制御チャネル情報内に含めることも可能である。
【００４５】
次いで図７を参照すると、示されているのは、本開示のさまざまな態様および実施形態による単一のコードワードおよび複数のコードワードに関するスペクトル効率を示す例示的なグラフ７００である。
【００４６】
一例として、グラフ７００は、単一のコードワード７０４を伴う４×４ＭＩＭＯシステムと、単一のデータ・トラフィック・チャネル上での４つのコードワードの送信７０２とに関するＳＮＲに応じたスペクトル効率を示している。非常に低いＳＮＲにおいては、単一のコードワード７０４に伴うパフォーマンスは、４つのコードワード７０２のパフォーマンスとほとんど同じであることが観察されることが可能である。これは、非常に低いＳＮＲ（０ｄＢまたは−５ｄＢ）においてはランクがいずれも１である確率が高いからである。しかしながら、中ぐらいから高いＳＮＲに関しては、単一のコードワード７０４に伴うパフォーマンスは、４つのコードワード７０２よりも劣っている。たとえば、１０ｄＢという中ぐらいのＳＮＲにおいては、４つのコードワードのＭＩＭＯに比較してスペクトル効率において１９％のロスである。同様に、２５ｄＢという高いＳＮＲにおいては、４つのコードワードのＭＩＭＯに比較してロスは約２０％である。単一のコードワードのＭＩＭＯにおいては、より弱いレイヤのＳＩＮＲによってＣＱＩが制御されるので、ロスが著しい。したがって、本明細書において開示されているようにチャネルごとに単一のコードワードを使用することによって、システムは、たとえ複数のコードワードが、単に別々のチャネル上で、同時に送信されていても、単一のコード・ワードのＭＩＭＯ７０４のパフォーマンスを得ることが可能である。
【００４７】
図８は、上述のシステムに関連したプロセスを示している。図８におけるプロセスは、たとえば図１〜図６それぞれにおけるシステムによって実施されることが可能である。説明を簡潔にする目的で、これらの方法は、一連のブロックとして示され記述されているが、いくつかのブロックは、本明細書において示され記述されているのとは異なる順序で、および／またはその他のブロックと同時に生じることが可能であるので、特許請求されている主題は、ブロック同士の順序によって限定されるものではないことを理解および認識されたい。その上、示されているブロックがすべて、以降で記述されている方法を実施するのに必要とされるとは限らない場合がある。
【００４８】
図８は、本開示のさまざまな態様および実施形態によるチャネルごとに単一のコードワードのＭＩＭＯの送信機を使用するための例示的な方法８００を示している。
【００４９】
方法８００は、８０２において開始することが可能であり、８０２において、この方法は、受信機デバイスへの多入力多出力プロトコルに従って生成される送信のための第１の数のデータ・レイヤを、プロセッサを含む送信機デバイスによって決定することを含む。
【００５０】
８０４において、この方法は、第１の数のデータ・レイヤに基づいて受信機デバイスへ制御チャネル情報を送信するために使用されることになる第２の数のコードワードを送信機デバイスによって決定することを含む。
【００５１】
８０６において、この方法は、第２の数のコードワードを送信する際に経由する第３の数の制御チャネルを送信機デバイスによって確立することであって、第２の数のコードワードのそれぞれのコードワードが、受信機デバイスへのそれぞれの制御チャネル上で別々にスケジュールされる、確立することを含む。
【００５２】
次いで図９を参照すると、示されているのは、本明細書において記述されているいくつかの実施形態による、ネットワークに接続することが可能なモバイル・デバイス９００であることが可能であるユーザ機器）などの例示的なエンドユーザ・デバイスの概略ブロック図である。本明細書においてはモバイル・ハンドセット９００が示されているが、その他のデバイスがモバイル・デバイスであることが可能であること、およびモバイル・ハンドセット９００は、本明細書において記述されているさまざまな実施形態の実施形態用コンテキストを提供するために示されているにすぎないことが理解されるであろう。以降の論考は、さまざまな実施形態が実施されることが可能である適切な環境９００の例の簡潔な概要を提供することを意図されている。この記述は、マシン可読ストレージ・メディア上で具体化されるコンピュータ実行可能命令という一般的なコンテキストを含むが、さまざまな実施形態は、その他のプログラム・モジュールと組み合わせて、および／またはハードウェアとソフトウェアとの組合せとして実施されることも可能であることを当業者なら認識するであろう。
【００５３】
一般に、アプリケーション（たとえば、プログラム・モジュール）は、特定のタスクを実行する、または特定の抽象データ型を実施するルーチン、プログラム、コンポーネント、データ構造などを含むことが可能である。その上、本明細書において記述されている方法は、１つまたは複数の関連付けられているデバイスにそれぞれが動作可能に結合されることが可能である、シングルプロセッサまたはマルチプロセッサ・システム、ミニコンピュータ、メインフレーム・コンピュータ、ならびにパーソナル・コンピュータ、ハンドヘルド・コンピューティング・デバイス、マイクロプロセッサベースのまたはプログラム可能な家庭用電化製品などを含むその他のシステム構成とともに実施されることが可能であることを当業者なら理解するであろう。
【００５４】
コンピューティング・デバイスは典型的に、さまざまなマシン可読メディアを含むことが可能である。マシン可読メディアは、コンピュータによってアクセスされることが可能である任意の利用可能なメディアであることが可能であり、揮発性メディアおよび不揮発性メディア、取り外し可能なメディアおよび取り外し不能なメディアの両方を含む。限定ではなく、例として、コンピュータ可読メディアは、コンピュータ・ストレージ・メディアおよび通信メディアを含むことが可能である。コンピュータ・ストレージ・メディアは、コンピュータ可読命令、データ構造、プログラム・モジュール、またはその他のデータなどの情報の格納のための任意の方法または技術において実施される揮発性メディアおよび／または不揮発性メディア、取り外し可能なメディアおよび／または取り外し不能なメディアを含むことが可能である。コンピュータ・ストレージ・メディアは、ＲＡＭ、ＲＯＭ、ＥＥＰＲＯＭ、フラッシュ・メモリ、もしくはその他のメモリ技術、ＣＤ  ＲＯＭ、デジタル・ビデオ・ディスク（ＤＶＤ）、もしくはその他の光ディスク・ストレージ、磁気カセット、磁気テープ、磁気ディスク・ストレージ、もしくはその他の磁気ストレージ・デバイス、または、所望の情報を格納するために使用されることが可能であって、コンピュータによってアクセスされることが可能であるその他の任意のメディアを含むことが可能であるが、それらには限定されない。
【００５５】
通信メディアは典型的に、変調されたデータ信号、たとえば、搬送波またはその他のトランスポート・メカニズムにおいてコンピュータ可読命令、データ構造、プログラム・モジュール、またはその他のデータを具体化し、任意の情報配信メディアを含む。「変調されたデータ信号」という用語は、その信号の特性のうちの１つまたは複数が、その信号において情報をエンコードするような様式で設定または変更されている信号を意味する。限定ではなく、例として、通信メディアは、有線ネットワークまたは直接有線接続などの有線メディア、ならびに、音響メディア、ＲＦメディア、赤外線メディア、およびその他のワイヤレス・メディアなどのワイヤレス・メディアを含む。上記のうちのいずれの組合せもまた、コンピュータ可読メディアの範囲内に含まれるものである。
【００５６】
ハンドセット９００は、すべてのオンボード・オペレーションおよび機能を制御および処理するためのプロセッサ９０２を含む。メモリ９０４が、データおよび１つまたは複数のアプリケーション９０６（たとえば、ビデオ・プレーヤ・ソフトウェア、ユーザ・フィードバック・コンポーネント・ソフトウェアなど）の格納のためにプロセッサ９０２へインターフェース接続する。その他のアプリケーションは、ユーザ・フィードバック信号の開始を容易にする所定の音声コマンドの音声認識を含むことが可能である。アプリケーション９０６は、メモリ９０４内に、および／またはファームウェア９０８内に格納されること、ならびにメモリ９０４または／およびファームウェア９０８のいずれかまたは両方からプロセッサ９０２によって実行されることが可能である。ファームウェア９０８は、ハンドセット９００を初期化する際に実行用のスタートアップ・コードを格納することも可能である。通信コンポーネント９１０は、外部システム、たとえば、セルラー・ネットワーク、ＶｏＩＰネットワークなどとの有線／ワイヤレス通信を容易にするためにプロセッサ９０２へインターフェース接続する。ここでは、通信コンポーネント９１０は、適切なセルラー・トランシーバ９１１（たとえば、ＧＳＭ（登録商標）トランシーバ）および／または対応する信号通信のためのライセンス供与されていないトランシーバ９１３（たとえば、Ｗｉ−Ｆｉ、ＷｉＭＡＸ）を含むことも可能である。ハンドセット９００は、セルラー電話、モバイル通信能力を有するＰＤＡ、およびメッセージング中心のデバイスなどのデバイスであることが可能である。通信コンポーネント９１０はまた、地上無線ネットワーク（たとえば、放送）、デジタル衛星無線ネットワーク、およびインターネットベースの無線サービス・ネットワークからの通信の受信を容易にする。
【００５７】
ハンドセット９００は、テキスト、イメージ、ビデオ、電話機能（たとえば、Ｃａｌｌｅｒ  ＩＤ機能）、セットアップ機能を表示するための、およびユーザ入力のためのディスプレイ９１２を含む。たとえば、ディスプレイ９１２は、マルチメディア・コンテンツ（たとえば、音楽メタデータ、メッセージ、壁紙、グラフィックスなど）の提示に対応することが可能である「スクリーン」と呼ばれることも可能である。ディスプレイ９１２は、ビデオを表示することも可能であり、ビデオ・クォートの生成、編集、および共有を容易にすることが可能である。シリアルＩ／Ｏインターフェース９１４が、プロセッサ９０２との通信状態で提供されて、ハードワイヤ接続、ならびにその他のシリアル入力デバイス（たとえば、キーボード、キーパッド、およびマウス）を通じた有線および／またはワイヤレス・シリアル通信（たとえば、ＵＳＢ、および／またはＩＥＥＥ１３９４）を容易にする。これは、たとえば、ハンドセット９００の更新およびトラブルシューティングをサポートする。オーディオ機能が、オーディオＩ／Ｏコンポーネント９１６を用いて提供され、オーディオＩ／Ｏコンポーネント９１６は、たとえば、ユーザ・フィードバック信号を開始するための適切なキーまたはキーの組合せをユーザが押下したという表示に関連したオーディオ信号の出力のためのスピーカーを含むことが可能である。オーディオＩ／Ｏコンポーネント９１６はまた、データおよび／または電話音声データを記録するための、ならびに電話会話のための音声信号を入力するためのマイクロフォンを通じたオーディオ信号の入力を容易にする。
【００５８】
ハンドセット９００は、カード・サブスクライバ・アイデンティティ・モジュール（ＳＩＭ）またはユニバーサルＳＩＭ９２０のフォーム・ファクタでのＳＩＣ（Ｓｕｂｓｃｒｉｂｅｒ  Ｉｄｅｎｔｉｔｙ  Ｃｏｍｐｏｎｅｎｔ）に対応するための、およびＳＩＭカード９２０をプロセッサ９０２とインターフェース接続するためのスロット・インターフェース９１８を含むことが可能である。しかしながら、ＳＩＭカード９２０は、ハンドセット９００に内蔵して製造されて、データおよびソフトウェアをダウンロードすることによって更新されることが可能であることを理解されたい。
【００５９】
ハンドセット９００は、ＩＳＰまたはブロードバンド・ケーブル・テレビ業者を通じた、たとえば、インターネット、コーポレート・イントラネット、ホーム・ネットワーク、パーソン・エリア・ネットワーク等などのＩＰネットワークからのＩＰトラフィックに対応するために、通信コンポーネント９１０を通じてＩＰデータ・トラフィックを処理することが可能である。したがって、ＶｏＩＰトラフィックがハンドセット８００によって利用されることが可能であり、ＩＰベースのマルチメディア・コンテンツが、エンコードされたまたはデコードされたフォーマットのいずれかで受信されることが可能である。
【００６０】
ビデオ処理コンポーネント９２２（たとえば、カメラ）が、エンコードされたマルチメディア・コンテンツをデコードするために提供されることが可能である。ビデオ処理コンポーネント９２２は、ビデオ・クォートの生成、編集、および共有を容易にする上で役立つことが可能である。ハンドセット９００はまた、バッテリーおよび／またはＡＣ電力サブシステムの形態の電源９２４を含み、この電源９２４は、電力Ｉ／Ｏコンポーネント９２６によって外部電力システムまたは充電機器（図示せず）へインターフェース接続することが可能である。
【００６１】
ハンドセット９００は、受信されたビデオ・コンテンツを処理するための、ならびにビデオ・コンテンツを記録および送信するためのビデオ・コンポーネント９３０を含むことも可能である。たとえば、ビデオ・コンポーネント９３０は、ビデオ・クォートの生成、編集、および共有を容易にすることが可能である。ロケーション・トラッキング・コンポーネント９３２が、ハンドセット９００を地理的に位置決定することを容易にする。上述されているように、これは、ユーザが自動的にまたは手動でフィードバック信号を開始したときに生じることが可能である。ユーザ入力コンポーネント９３４が、ユーザが品質フィードバック信号を開始することを容易にする。ユーザ入力コンポーネント９３４は、ビデオ・クォートの生成、編集、および共有を容易にすることも可能である。ユーザ入力コンポーネント９３４は、そのような従来の入力デバイス技術、たとえば、キーパッド、キーボード、マウス、スタイラス・ペン、および／またはタッチ・スクリーンなどを含むことが可能である。
【００６２】
アプリケーション９０６を再び参照すると、ヒステリシス・コンポーネント９３６が、アクセス・ポイントにいつ関連付けるかを決定するために利用されるヒステリシス・データの分析および処理を容易にする。Ｗｉ−Ｆｉトランシーバ９１３がアクセス・ポイントのビーコンを検知した場合にヒステリシス・コンポーネント９３８のトリガリングを容易にするソフトウェア・トリガー・コンポーネント９３８が提供されることが可能である。ＳＩＰクライアント９４０が、ハンドセット９００がＳＩＰプロトコルをサポートしてサブスクライバをＳＩＰレジストラ・サーバに登録することを可能にする。アプリケーション９０６は、少なくとも、マルチメディア・コンテンツ、たとえば音楽を見つけて、再生して、格納する能力を提供するクライアント９４２を含むことも可能である。
【００６３】
ハンドセット９００は、通信コンポーネント８１０に関連して上で示されているように、屋内ネットワーク無線トランシーバ９１３（たとえば、Ｗｉ−Ｆｉトランシーバ）を含む。この機能は、デュアルモードＧＳＭ（登録商標）ハンドセット９００のためにＩＥＥＥ８０２．１１などの屋内無線リンクをサポートする。ハンドセット９００は、ワイヤレス音声およびデジタル無線チップセットを単一のハンドヘルド・デバイスへと組み合わせることが可能であるハンドセットを通じて、少なくとも衛星無線サービスに対応することが可能である。
【００６４】
次いで図１３を参照すると、記述されている例示的な実施形態において実行される機能およびオペレーションを実行するように動作できるコンピュータ１３００のブロック図が示されている。たとえば、ネットワーク・ノード（たとえば、ネットワーク・ノード４０６）は、図１３において記述されているコンポーネントを含むことが可能である。コンピュータ１３００は、有線またはワイヤレス通信ネットワークと、サーバおよび／または通信デバイスとの間におけるネットワーキングおよび通信能力を提供することが可能である。そのさまざまな態様に関するさらなるコンテキストを提供するために、図１３および以降の論考は、エンティティと第三者との間における取引の確立を容易にするために実施形態のさまざまな態様が実施されることが可能である適切なコンピューティング環境の簡潔な概要を提供することを意図されている。上の記述は、１つまたは複数のコンピュータ上で稼働することが可能であるコンピュータ実行可能命令という一般的なコンテキスト内にあるが、さまざまな実施形態は、その他のプログラム・モジュールと組み合わせて、および／またはハードウェアとソフトウェアとの組合せとして実施されることも可能であることを当業者なら認識するであろう。
【００６５】
一般に、プログラム・モジュールは、特定のタスクを実行する、または特定の抽象データ型を実施するルーチン、プログラム、コンポーネント、データ構造などを含む。その上、本発明の方法は、１つまたは複数の関連付けられているデバイスにそれぞれが動作可能に結合されることが可能である、シングルプロセッサまたはマルチプロセッサ・コンピュータ・システム、ミニコンピュータ、メインフレーム・コンピュータ、ならびにパーソナル・コンピュータ、ハンドヘルド・コンピューティング・デバイス、マイクロプロセッサベースのまたはプログラム可能な家庭用電化製品などを含むその他のコンピュータ・システム構成とともに実施されることが可能であることを当業者なら理解するであろう。
【００６６】
さまざまな実施形態の示されている態様は、通信ネットワークを通じてリンクされているリモート処理デバイス同士によって特定のタスクが実行される分散コンピューティング環境において実施されることも可能である。分散コンピューティング環境においては、ローカルおよびリモートの両方のメモリ・ストレージ・デバイスにプログラム・モジュールが配置されることが可能である。
【００６７】
コンピューティング・デバイスは典型的に、さまざまなメディアを含み、それらのメディアは、コンピュータ可読ストレージ・メディアまたは通信メディアを含むことが可能であり、これらの２つの用語は、本明細書においては、下記のように互いに異なって使用されている。
【００６８】
コンピュータ可読ストレージ・メディアは、コンピュータによってアクセスされることが可能である任意の利用可能なストレージ・メディアであることが可能であり、揮発性メディアおよび不揮発性メディア、取り外し可能なメディアおよび取り外し不能なメディアの両方を含む。限定ではなく、例として、コンピュータ可読ストレージ・メディアは、コンピュータ可読命令、プログラム・モジュール、構造化されているデータ、または構造化されていないデータなどの情報の格納のための任意の方法または技術に関連して実施されることが可能である。コンピュータ可読ストレージ・メディアは、ＲＡＭ、ＲＯＭ、ＥＥＰＲＯＭ、フラッシュ・メモリ、もしくはその他のメモリ技術、ＣＤ−ＲＯＭ、デジタル多用途ディスク（ＤＶＤ）、もしくはその他の光ディスク・ストレージ、磁気カセット、磁気テープ、磁気ディスク・ストレージ、もしくはその他の磁気ストレージ・デバイス、または、所望の情報を格納するために使用されることが可能であるその他の有形のおよび／もしくは非一時的なメディアを含むことが可能であるが、それらには限定されない。コンピュータ可読ストレージ・メディアは、そのメディアによって格納されている情報に関するさまざまなオペレーションのために、たとえば、アクセス要求、クエリー、またはその他のデータ取り出しプロトコルを介して、１つまたは複数のローカルのまたはリモートのコンピューティング・デバイスによってアクセスされることが可能である。
【００６９】
通信メディアは、変調されたデータ信号などのデータ信号、たとえば、搬送波またはその他のトランスポート・メカニズムにおいてコンピュータ可読命令、データ構造、プログラム・モジュール、またはその他の構造化されているもしくは構造化されていないデータを具体化することが可能であり、任意の情報配信またはトランスポート・メディアを含む。「変調されたデータ信号」または信号という用語は、その信号の特性のうちの１つまたは複数が、１つまたは複数の信号において情報をエンコードするような様式で設定または変更されている信号を指す。限定ではなく、例として、通信メディアは、有線ネットワークまたは直接有線接続などの有線メディア、ならびに、音響メディア、ＲＦメディア、赤外線メディア、およびその他のワイヤレス・メディアなどのワイヤレス・メディアを含む。
【００７０】
図１０を参照すると、エンドユーザ・デバイスに関して本明細書において記述されているさまざまな態様を実施することは、コンピュータ１０００を含むことが可能であり、コンピュータ１０００は、処理ユニット１００４、システム・メモリ１００６、およびシステム・バス１００８を含む。システム・バス１００８は、システム・メモリ１００６を含むがそれには限定されないシステム・コンポーネントを処理ユニット１００４に結合する。処理ユニット１００４は、さまざまな市販のプロセッサのうちのいずれかであることが可能である。デュアル・マイクロプロセッサおよびその他のマルチプロセッサ・アーキテクチャが、処理ユニット１００４として採用されることも可能である。
【００７１】
システム・バス１００８は、さまざまな市販のバス・アーキテクチャのうちのいずれかを使用してメモリ・バス（メモリ・コントローラを伴うまたは伴わない）、ペリフェラル・バス、およびローカル・バスにさらに相互接続することが可能であるいくつかのタイプのバス構造のうちのいずれかであることが可能である。システム・メモリ１００６は、読み取り専用メモリ（ＲＯＭ）１０２７およびランダム・アクセス・メモリ（ＲＡＭ）１０１２を含む。基本入出力システム（ＢＩＯＳ）は、ＲＯＭ、ＥＰＲＯＭ、ＥＥＰＲＯＭなどの不揮発性メモリ１０２７内に格納されており、このＢＩＯＳは、スタートアップ中などにコンピュータ１０００内の要素間において情報を転送するのを補助する基本ルーチンを含む。ＲＡＭ１０１２は、データをキャッシュするためのスタティックＲＡＭなどの高速ＲＡＭを含むことも可能である。
【００７２】
コンピュータ１０００はさらに、内蔵ハード・ディスク・ドライブ（ＨＤＤ）１０１４（たとえば、ＥＩＤＥ、ＳＡＴＡ）を含み、この内蔵ハード・ディスク・ドライブ１０１４は、適切なシャーシ（図示せず）、磁気フロッピー・ディスク・ドライブ（ＦＤＤ）１０１６（たとえば、取り外し可能なディスケット１０１８との間で読み取りまたは書き込みを行うための）、および光ディスク・ドライブ１０２０（たとえば、ＣＤ−ＲＯＭディスク１０２２を読み取る、またはＤＶＤなどのその他の高容量の光メディアとの間で読み取りもしくは書き込みを行うための）における外部使用のために構成されることも可能である。ハード・ディスク・ドライブ１０１４、磁気ディスク・ドライブ１０１６、および光ディスク・ドライブ１０２０は、それぞれハード・ディスク・ドライブ・インターフェース１０２４、磁気ディスク・ドライブ・インターフェース１０２６、および光ドライブ・インターフェース１０２８によってシステム・バス１００８に接続されることが可能である。外部ドライブ実施態様のためのインターフェース１０２４は、ユニバーサル・シリアル・バス（ＵＳＢ）およびＩＥＥＥ１３９４インターフェース技術のうちの少なくとも１つまたは両方を含む。その他の外部ドライブ接続技術は、本実施形態の想定内である。
【００７３】
ドライブおよびそれらの関連付けられているコンピュータ可読メディアは、データ、データ構造、コンピュータ実行可能命令などの不揮発性の格納を提供する。コンピュータ１０００に関しては、ドライブおよびメディアは、あらゆるデータの適切なデジタル・フォーマットでの格納に対応する。上でのコンピュータ可読メディアの記述は、ＨＤＤ、取り外し可能な磁気ディスケット、およびＣＤまたはＤＶＤなどの取り外し可能な光メディアに言及しているが、コンピュータ１０００によって読み取り可能であるその他のタイプのメディア、たとえば、ジップ・ドライブ、磁気カセット、フラッシュ・メモリ・カード、カートリッジなどが、例示的な動作環境において使用されることも可能であること、そしてさらに、いずれのそのようなメディアも、開示されている実施形態の方法を実行するためのコンピュータ実行可能命令を含むことが可能であることが当業者によって理解されるはずである。
【００７４】
オペレーティング・システム１０３０、１つまたは複数のアプリケーション・プログラム１０３２、その他のプログラム・モジュール１０３４、およびプログラム・データ１０３６を含む複数のプログラム・モジュールが、ドライブおよびＲＡＭ１０１２内に格納されることが可能である。オペレーティング・システム、アプリケーション、モジュール、および／またはデータのすべてまたは部分が、ＲＡＭ１０１２内にキャッシュされることも可能である。さまざまな実施形態は、さまざまな市販のオペレーティング・システムまたはオペレーティング・システムの組合せを用いて実施されることが可能であることを理解されたい。
【００７５】
ユーザは、１つまたは複数の有線／ワイヤレス入力デバイス、たとえば、キーボード１０３８、およびマウス１０４０などのポインティング・デバイスを通じてコマンドおよび情報をコンピュータ１０００内に入力することが可能である。その他の入力デバイス（図示せず）は、マイクロフォン、ＩＲリモコン、ジョイスティック、ゲーム・パッド、スタイラス・ペン、タッチ・スクリーンなどを含むことが可能である。これらおよびその他の入力デバイスはしばしば、システム・バス１００８に結合されている入力デバイス・インターフェース１０４２を通じて処理ユニット１００４に接続されるが、その他のインターフェース、たとえば、パラレル・ポート、ＩＥＥＥ１３９４シリアル・ポート、ゲーム・ポート、ＵＳＢポート、ＩＲインターフェースなどによって接続されることが可能である。
【００７６】
モニタ１０４４またはその他のタイプのディスプレイ・デバイスも、ビデオ・アダプタ１０４６などのインターフェースを通じてシステム・バス１００８に接続される。モニタ１０４４に加えて、コンピュータ１０００は典型的に、その他の周辺出力デバイス（図示せず）、たとえば、スピーカー、プリンタなどを含む。
【００７７】
コンピュータ１０００は、リモート・コンピュータ１０４８などの１つまたは複数のリモート・コンピュータへの有線および／またはワイヤレス通信による論理接続を使用して、ネットワーク化された環境において動作することが可能である。リモート・コンピュータ１０４８は、ワークステーション、サーバ・コンピュータ、ルータ、パーソナル・コンピュータ、ポータブル・コンピュータ、マイクロプロセッサベースのエンターテイメント・デバイス、ピア・デバイス、またはその他の一般的なネットワーク・ノードであることが可能であり、典型的には、コンピュータに関連して記述されている要素のうちの多くまたはすべてを含むが、簡潔にするために、メモリ／ストレージ・デバイス１０５０のみが示されている。示されている論理接続は、ローカル・エリア・ネットワーク（ＬＡＮ）１０５２および／またはより大きなネットワーク、たとえば、ワイド・エリア・ネットワーク（ＷＡＮ）１０５４への有線／ワイヤレス接続性を含む。そのようなＬＡＮおよびＷＡＮネットワーキング環境は、オフィスおよび会社においてよく見受けられ、イントラネットなどの企業規模のコンピュータ・ネットワークを容易にし、それらのネットワークのすべては、グローバルな通信ネットワーク、たとえばインターネットに接続することが可能である。
【００７８】
ＬＡＮネットワーキング環境において使用される場合には、コンピュータ１０００は、有線および／またはワイヤレス通信ネットワーク・インターフェースまたはアダプタ１０５６を通じてローカル・ネットワーク１０５２に接続される。アダプタ１０５６は、ＬＡＮ１０５２への有線またはワイヤレス通信を容易にすることが可能であり、ＬＡＮ１０５２は、ワイヤレス・アダプタ１０５６と通信するためにその上に配置されているワイヤレス・アクセス・ポイントを含むことも可能である。
【００７９】
ＷＡＮネットワーキング環境において使用される場合には、コンピュータ１０００は、モデム１０５８を含むことが可能であり、またはＷＡＮ１０５４上の通信サーバに接続され、またはインターネットを経由してなど、ＷＡＮ１０５４を介して通信を確立するためのその他の手段を有する。モデム１０５８は、内蔵または外付けであること、および有線またはワイヤレス・デバイスであることが可能であり、入力デバイス・インターフェース１０４２を通じてシステム・バス１００８に接続される。ネットワーク化された環境においては、コンピュータまたはその部分に関して示されているプログラム・モジュールは、リモート・メモリ／ストレージ・デバイス１０５０内に格納されることが可能である。示されているネットワーク接続は、例示的なものであり、コンピュータ間における通信リンクを確立するその他の手段が使用されることが可能であることが理解されるであろう。
【００８０】
コンピュータは、ワイヤレス通信において動作可能に配置されている任意のワイヤレス・デバイスまたはエンティティ、たとえば、プリンタ、スキャナ、デスクトップおよび／またはポータブル・コンピュータ、ポータブル・データ・アシスタント、通信衛星、ワイヤレスに検知可能なタグに関連付けられている任意の機器またはロケーション（たとえば、キオスク、新聞売店、トイレ）、および電話と通信するように動作可能である。これは、少なくともＷｉ−ＦｉおよびＢｌｕｅｔｏｏｔｈ（商標）ワイヤレス技術を含む。したがって通信は、従来のネットワークと同様の事前に定義された構造、または単に少なくとも２つのデバイスの間におけるその場その場の通信であることが可能である。
【００８１】
Ｗｉ−Ｆｉ、またはワイヤレス・フィディリティは、配線を伴わずに、家のカウチ、ホテル・ルーム内のベッド、または職場の会議室からインターネットへの接続を可能にする。Ｗｉ−Ｆｉは、携帯電話において使用されているのと同様のワイヤレス技術であり、このワイヤレス技術は、そのようなデバイス、たとえばコンピュータが基地局の範囲内のどこでも屋内および屋外でデータを送り受信することを可能にする。Ｗｉ−Ｆｉネットワークは、セキュアな信頼できる高速のワイヤレス接続性を提供するために、ＩＥＥＥ８０２．１１（ａ、ｂ、ｇ、ｎなど）と呼ばれる無線技術を使用する。Ｗｉ−Ｆｉネットワークは、コンピュータ同士を互いに、インターネットに、および有線ネットワーク（ＩＥＥＥ８０２．３またはイーサネット（登録商標）を使用する）に接続するために使用されることが可能である。Ｗｉ−Ｆｉネットワークは、ライセンス供与されていない２．４および５ＧＨｚ無線帯域において、たとえば、１１Ｍｂｐｓ（８０２．１１ｂ）もしくは５４Ｍｂｐｓ（８０２．１１ａ）のデータ・レートで、または両方の帯域（デュアル帯域）を含む製品とともに動作し、したがって、それらのネットワークは、多くのオフィスにおいて使用されている基本的な「１０ＢａｓｅＴ」有線イーサネット（登録商標）・ネットワークと同様の現実世界のパフォーマンスを提供することが可能である。
【００８２】
本願において使用される際には、「システム」、「コンポーネント」、「インターフェース」などの用語は一般に、コンピュータ関連のエンティティ、または１つもしくは複数の特定の機能性を有する動作可能なマシンに関連したエンティティを指すことを意図されている。本明細書において開示されているエンティティは、ハードウェア、ハードウェアとソフトウェアとの組合せ、ソフトウェア、または実行中のソフトウェアのいずれかであることが可能である。たとえば、コンポーネントは、プロセッサ上で稼働しているプロセス、プロセッサ、オブジェクト、実行可能ファイル、実行のスレッド、プログラム、および／またはコンピュータであることが可能であるが、それらであることに限定されない。例として、サーバ上で稼働するアプリケーション、およびそのサーバの両方がコンポーネントであることが可能である。１つまたは複数のコンポーネントが、１つのプロセスおよび／または実行のスレッド内に存在することが可能であり、１つのコンポーネントが、１つのコンピュータ上に局在されること、および／または２つ以上のコンピュータの間に分散されることが可能である。これらのコンポーネントは、さまざまなデータ構造をその上に格納されているさまざまなコンピュータ可読ストレージ・メディアから実行することも可能である。これらのコンポーネントは、１つまたは複数のデータ・パケット（たとえば、ローカル・システムや分散システム内の別のコンポーネントと対話する、および／または信号を介してインターネットなどのネットワークを経由してその他のシステムと対話する１つのコンポーネントからのデータ）を有する信号に従ってなど、ローカル・プロセスおよび／またはリモート・プロセスを介して通信することが可能である。別の例として、コンポーネントは、電気回路または電子回路によって操作される機械的な部分によって提供される特定の機能性を有する装置であることが可能であり、その電気回路または電子回路は、プロセッサによって実行されるソフトウェア・アプリケーションまたはファームウェア・アプリケーションによって操作され、プロセッサは、その装置にとって内部または外部にあることが可能であり、ソフトウェア・アプリケーションまたはファームウェア・アプリケーションの少なくとも一部を実行する。さらに別の例として、コンポーネントは、機械的な部分を有していない電子コンポーネントを通じて特定の機能性を提供する装置であることが可能であり、それらの電子コンポーネントは、それらの電子コンポーネントの機能性を少なくとも部分的にもたらすソフトウェアまたはファームウェアを実行するためのプロセッサを内部に含むことが可能である。インターフェースは、入力／出力（Ｉ／Ｏ）コンポーネント、ならびに関連付けられているプロセッサ、アプリケーション、および／またはＡＰＩコンポーネントを含むことが可能である。
【００８３】
さらに、開示されている主題は、その開示されている主題を実施するようにコンピュータを制御するためのソフトウェア、ファームウェア、ハードウェア、またはそれらの任意の組合せを作成するために標準的なプログラミングおよび／またはエンジニアリング技術を使用して、方法、装置、または製品として実施されることが可能である。本明細書において使用されている「製品」という用語は、任意のコンピュータ可読デバイス、コンピュータ可読キャリア、またはコンピュータ可読メディアからアクセス可能なコンピュータ・プログラムを包含することを意図されている。たとえば、コンピュータ可読メディアは、磁気ストレージ・デバイス、たとえば、ハード・ディスク、フロッピー・ディスク、磁気ストリップ、光ディスク（たとえば、コンパクト・ディスク（ＣＤ）、デジタル・ビデオ・ディスク（ＤＶＤ）、ブルーレイ・ディスク（商標）（ＢＤ））、スマート・カード、フラッシュ・メモリ・デバイス（たとえば、カード、スティック、キー・ドライブ）、ならびに／または、ストレージ・デバイスおよび／もしくは上述のコンピュータ可読メディアのうちのいずれかをエミュレートする仮想デバイスを含むことが可能であるが、それらには限定されない。
【００８４】
「プロセッサ」という用語は、本明細書において採用される際には、シングルコア・プロセッサ、ソフトウェア・マルチスレッド実行能力を有するシングルプロセッサ、マルチコア・プロセッサ、ソフトウェア・マルチスレッド実行能力を有するマルチコア・プロセッサ、ハードウェア・マルチスレッド技術を有するマルチコア・プロセッサ、パラレル・プラットフォーム、および分散共有メモリを有するパラレル・プラットフォームを含むがそれらを含むことには限定されない実質的に任意のコンピューティング処理ユニットまたはデバイスを指すことが可能である。加えて、プロセッサは、本明細書において記述されている機能を実行するように設計されている集積回路、特定用途向け集積回路（ＡＳＩＣ）、デジタル・シグナル・プロセッサ（ＤＳＰ）、フィールド・プログラマブル・ゲート・アレイ（ＦＰＧＡ）、プログラマブル・ロジック・コントローラ（ＰＬＣ）、コンプレックス・プログラマブル・ロジック・デバイス（ＣＰＬＤ）、ディスクリート・ゲートもしくはトランジスタ・ロジック、ディスクリート・ハードウェア・コンポーネント、またはそれらの任意の組合せを指すことが可能である。プロセッサは、スペース使用を最適化するために、またはユーザ機器のパフォーマンスを高めるために、分子および量子ドット・ベースのトランジスタ、スイッチ、およびゲートなどであるがそれらには限定されないナノスケール・アーキテクチャを活用することが可能である。プロセッサは、コンピューティング処理ユニットの組合せとして実装されることも可能である。
【００８５】
本明細書においては、コンポーネントのオペレーションおよび機能性に関連した「ストア」、「データ・ストア」、「データ・ストレージ」、「データベース」、「リポジトリ」、「キュー」などの用語、および実質的に任意のその他の情報ストレージ・コンポーネントは、「メモリ・コンポーネント」、または「メモリ」において具体化されるエンティティ、またはメモリを含むコンポーネントを指す。本明細書において記述されているメモリ・コンポーネントは、揮発性メモリもしくは不揮発性メモリのいずれかであることが可能であり、または揮発性メモリおよび不揮発性メモリの両方を含むことが可能であることが理解されるであろう。加えて、メモリ・コンポーネントまたはメモリ要素は、取り外し可能であること、または固定されていることが可能である。その上、メモリは、デバイスもしくはコンポーネントにとって内部もしくは外部にあること、または取り外し可能であること、もしくは固定されていることが可能である。メモリは、コンピュータによって読み取り可能であるさまざまなタイプのメディア、たとえば、ハードディスク・ドライブ、ジップ・ドライブ、磁気カセット、フラッシュ・メモリ・カードまたはその他のタイプのメモリ・カード、カートリッジなどを含むことが可能である。
【００８６】
限定ではなく、例として、不揮発性メモリは、読み取り専用メモリ（ＲＯＭ）、プログラム可能ＲＯＭ（ＰＲＯＭ）、電気的プログラム可能ＲＯＭ（ＥＰＲＯＭ）、電気的消去可能ＲＯＭ（ＥＥＰＲＯＭ）、またはフラッシュ・メモリを含むことが可能である。揮発性メモリは、ランダム・アクセス・メモリ（ＲＡＭ）を含むことが可能であり、そのＲＡＭは、外部キャッシュ・メモリとして機能する。限定ではなく、例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクトＲａｍｂｕｓ  ＲＡＭ（ＤＲＲＡＭ）などの多くの形態で利用可能である。加えて、本明細書におけるシステムまたは方法の開示されているメモリ・コンポーネントは、これらおよびその他の任意の適切なタイプのメモリを含むことを意図されているが、それらを含むことには限定されない。
【００８７】
とりわけ、上述のコンポーネント、デバイス、回路、システムなどによって実行されるさまざまな機能に関しては、そのようなコンポーネントについて記述するために使用されている用語（「手段」への言及を含む）は、別段の指示がない限り、たとえ開示されている構造と構造面で均等でなくても、実施形態の本明細書において示されている例示的な態様における機能を実行する、記述されているコンポーネントの指定されている機能を実行する任意のコンポーネント（たとえば、機能面での均等物）に対応することを意図されている。この点については、実施形態は、さまざまな方法の行為および／またはイベントを実行するためのコンピュータ実行可能命令を有するシステムならびにコンピュータ可読メディアを含むことも認識されるであろう。
【００８８】
コンピューティング・デバイスは典型的に、さまざまなメディアを含み、それらのメディアは、コンピュータ可読ストレージ・メディアおよび／または通信メディアを含むことが可能であり、これらの２つの用語は、本明細書においては、下記のように互いに異なって使用されている。コンピュータ可読ストレージ・メディアは、コンピュータによってアクセスされることが可能である任意の利用可能なストレージ・メディアであることが可能であり、揮発性メディアおよび不揮発性メディア、取り外し可能なメディアおよび取り外し不能なメディアの両方を含む。限定ではなく、例として、コンピュータ可読ストレージ・メディアは、コンピュータ可読命令、プログラム・モジュール、構造化されているデータ、または構造化されていないデータなどの情報の格納のための任意の方法または技術に関連して実施されることが可能である。コンピュータ可読ストレージ・メディアは、ＲＡＭ、ＲＯＭ、ＥＥＰＲＯＭ、フラッシュ・メモリ、もしくはその他のメモリ技術、ＣＤ−ＲＯＭ、デジタル多用途ディスク（ＤＶＤ）、もしくはその他の光ディスク・ストレージ、磁気カセット、磁気テープ、磁気ディスク・ストレージ、もしくはその他の磁気ストレージ・デバイス、または、所望の情報を格納するために使用されることが可能であるその他の有形のおよび／もしくは非一時的なメディアを含むことが可能であるが、それらには限定されない。コンピュータ可読ストレージ・メディアは、そのメディアによって格納されている情報に関するさまざまなオペレーションのために、たとえば、アクセス要求、クエリー、またはその他のデータ取り出しプロトコルを介して、１つまたは複数のローカルのまたはリモートのコンピューティング・デバイスによってアクセスされることが可能である。
【００８９】
その一方で、通信メディアは典型的に、変調されたデータ信号などのデータ信号、たとえば、搬送波またはその他のトランスポート・メカニズムにおいてコンピュータ可読命令、データ構造、プログラム・モジュール、またはその他の構造化されているもしくは構造化されていないデータを具体化し、任意の情報配信またはトランスポート・メディアを含む。「変調されたデータ信号」または信号という用語は、その信号の特性のうちの１つまたは複数が、１つまたは複数の信号において情報をエンコードするような様式で設定または変更されている信号を指す。限定ではなく、例として、通信メディアは、有線ネットワークまたは直接有線接続などの有線メディア、ならびに、音響メディア、ＲＦメディア、赤外線メディア、およびその他のワイヤレス・メディアなどのワイヤレス・メディアを含む。
【００９０】
さらに、「ユーザ機器」、「ユーザ・デバイス」、「モバイル・デバイス」、「モバイル」、ステーション」、「アクセス端末」、「端末」、「ハンドセット」、および類似の専門用語のような用語は一般に、データ、制御、音声、ビデオ、サウンド、ゲーミング、または実質的に任意のデータストリームまたはシグナリングストリームを受信または伝達するためにワイヤレス通信ネットワークまたはサービスのサブスクライバまたはユーザによって利用されるワイヤレス・デバイスを指す。上述の用語は、本明細書および関連した図面において言い換え可能に利用される。同様に、「アクセス・ポイント」、「ノードＢ」、「基地局」、「エボルブドＮｏｄｅ  Ｂ」、「セル」、「セル・サイト」などの用語は、本願においては言い換え可能に利用されること、ならびにサブスクライバ・ステーションのセットからのデータ、制御、音声、ビデオ、サウンド、ゲーミング、または実質的に任意のデータストリームまたはシグナリングストリームを供給および受信するワイヤレス・ネットワーク・コンポーネントまたはアプライアンスを指すことが可能である。データ・ストリームおよびシグナリング・ストリームは、パケット化されたまたはフレームベースのフローであることが可能である。本明細書および図面においては、コンテキストまたは明示的な区別が、屋外環境におけるモバイル・デバイスとの間でデータを供給および受信するアクセス・ポイントまたは基地局と、屋外のカバレッジ・エリアにおいて重ね合わされている限られた、主に屋内の環境において動作するアクセス・ポイントまたは基地局とに関する識別を提供することに留意されたい。データ・ストリームおよびシグナリング・ストリームは、パケット化されたまたはフレームベースのフローであることが可能である。
【００９１】
さらに、「ユーザ」、「サブスクライバ」、「顧客」、「消費者」などの用語は、文脈がこれらの用語の間における特定の区別を当然としない限り、本明細書の全体を通して言い換え可能に採用される。そのような用語は、人間エンティティ、関連付けられているデバイス、または、シミュレートされた視覚、サウンド認識などを提供することが可能である、人工知能（たとえば、複雑な数学的形式に基づいて推論を行う能力）を通じてサポートされる自動化されたコンポーネントを指すことが可能であることを理解されたい。加えて、「ワイヤレス・ネットワーク」および「ネットワーク」という用語は、本願においては言い換え可能に使用されており、その用語が利用されている文脈が、明確にする目的での区別を当然とする場合には、そのような区別は明示される。
【００９２】
その上、「例示的な」という言葉は、本明細書においては、例、事例、または例示としての役割を果たすことを意味するために使用されている。本明細書において「例示的な」と記述されている態様または設計は、必ずしもその他の態様または設計よりも好ましいまたは有利であると解釈されるべきではない。むしろ、「例示的な」という言葉の使用は、具体的な様式でコンセプトを提示することを意図されている。本願において使用される際には、「または（もしくは）」という用語は、排他的な「または（もしくは）」よりもむしろ包括的な「または（もしくは）」を意味することを意図されている。すなわち、別段の指定がない限り、または文脈から明らかでない限り、「Ｘが、Ａまたは（もしくは）Ｂを採用する」は、自然な包括的な順列のうちのいずれをも意味することを意図されている。すなわち、ＸがＡを採用する、ＸがＢを採用する、またはＸがＡおよびＢの両方を採用する場合には、「Ｘが、Ａまたは（もしくは）Ｂを採用する」は、上述の例のうちのいずれのもとでも満たされる。加えて、本願および添付の特許請求の範囲において使用されている「ａ」および「ａｎ」という冠詞は一般に、別段の指定ない限り、または単数形へ導かれることが文脈から明らかでない限り、「１つまたは複数の」を意味すると解釈されるべきである。
【００９３】
加えて、特定の特徴が、いくつかの実施態様のうちの１つのみに関して開示されているかもしれないが、そのような特徴は、任意の所与のまたは特定の用途にとって望ましく有利である可能性があるその他の実施態様の１つまたは複数のその他の特徴と結合されることが可能である。さらに、「ｉｎｃｌｕｄｅｓ」および「ｉｎｃｌｕｄｉｎｇ」という用語およびその変形が、詳細な説明または特許請求の範囲のいずれかにおいて使用されている限り、これらの用語は、「ｃｏｍｐｒｉｓｉｎｇ」という用語と同様の様式で包括的であることを意図されている。
【００９４】
本開示のさまざまな実施形態についての上述の記述、および対応する図、ならびに要約書において記述されていることは、本明細書においては例示的な目的で記述されており、網羅的であること、または開示されている実施形態を、開示されている厳密な形態に限定することを意図されているものではない。修正、並べ替え、組合せ、および付加を有するその他の実施形態は、開示されている主題の同じ、同様の、代替の、または代用の機能を実行するために実施されることが可能であり、したがって本開示の範囲内であるとみなされることを当技術分野における標準的な技術者なら認識することが可能であることを理解されたい。したがって、開示されている主題は、本明細書において記述されているいずれの単一の実施形態にも限定されるべきではなく、むしろ添付の特許請求の範囲に従う広がりおよび範囲において解釈されるべきである。
【図１】
2020516153.tif 000003
【図２】
2020516153.tif 000004
【図３】
2020516153.tif 000005
【図４】
2020516153.tif 000006
【図５】
2020516153.tif 000007
【図６】
2020516153.tif 000008
【図７】
2020516153.tif 000009
【図８】
2020516153.tif 000010
【図９】
2020516153.tif 000011
【図１０】
2020516153.tif 000012
【国際調査報告】
2020516153.tif 000013
2020516153.tif 000014
2020516153.tif 000015